(57)【要約】      （修正有）【課題】廃棄物処理場に堆積された堆積廃棄物から発生する臭気が大気に漏洩することを防止すると共に、効率よく捕集して脱臭する脱臭構造を提供する。【解決手段】脱臭構造１０は、廃棄物処理場１に堆積した堆積廃棄物４を上側から覆うと共に水分を保持する保水膜テクスチャ２０と、堆積廃棄物４の内部に埋設される有孔管３０と、有孔管３０を通して吸引された臭気を脱臭するエアーレーション４０と、を有する。保水膜テクスチャ２０は高分子ポリマーであって、雨水を保持する。【選択図】図１
0003189609.tif 000002
【実用新案登録請求の範囲】
【請求項１】
臭気発生物を上側から覆うと共に水分を保持する保水部と、
前記臭気発生物の内部に埋設される有孔管と、
前記有孔管を通して吸引された臭気を脱臭する脱臭部と、を有することを特徴とする脱臭構造。
【請求項２】
前記臭気発生物は、廃棄物処理場に堆積する堆積廃棄物であり、
前記保水部は、高分子ポリマーであって、雨水を保持することを特徴とする請求項１に記載の脱臭構造。
【請求項３】
前記保水部の上下に前記保水部を保護する保護部が積層され、
前記有孔管は、前記保水部の下側に積層された前記保護部の直下に埋設されることを特徴とする請求項２に記載の脱臭構造。
【考案の詳細な説明】
【技術分野】
【０００１】
本考案は、脱臭構造に関する。特に、廃棄物処理場に堆積した堆積廃棄物から発生する臭気を脱臭する場合に用いられて好適である。
【背景技術】
【０００２】
廃棄物処理場のうち、例えば管理型最終処分場は、自然の地形を利用したり、地盤を掘削したりして造成された凹状の地盤の内部に廃棄物を埋立て処分する。このような廃棄物処理場では堆積された有機性廃棄物が嫌気性発酵して硫化水素が発生してしまい、臭気が周辺住民の良好な生活環境を破壊してしまう。したがって、臭気が大気に漏洩するのを防止するために、埋立て毎に覆土の実施が義務付けられたり、ガス抜き管の設置が義務付けられたりしている。
【０００３】
例えば、特許文献１には、廃棄物処分場に堆積される廃棄物内に排気管が埋設配管された廃棄物処分場が開示されている。排気管は、処分場の一側部にあって、地盤内に縦に配管されたメイン配管を通じて地表部に配置された気液分離装置、真空吸引ポンプ、廃棄物浄化設備であるバイオリアクタ、活性炭吸着層に接続し、活性炭吸着層を通じて処理された発生ガスを大気に開放している。
また、特許文献１の廃棄物処分場では、廃棄物処分場の上面を、ドーム状をなす軽量屋根膜構造の屋根で覆い、雨水の廃棄物内部への浸透を防止し、系内を外界から隔離することで分解作用に適合した環境に調整している。
【先行技術文献】
【特許文献】
【０００４】
【特許文献１】特開２０００−５４０号公報
【考案の概要】
【考案が解決しようとする課題】
【０００５】
しかしながら、上述した特許文献１に開示された廃棄物処分場では、廃棄物の天端を覆土によって覆うのみであるために、臭気が覆土を通して上空に到ってしまい、臭気を捕集することが困難である。また、ドーム状をなす屋根を設置することで、臭気が大気に漏洩することを防止できるが、屋根が必要となるために設備コストが嵩んでしまう。
本考案は、上述したような問題点に鑑みてなされたものであり、廃棄物処理場などに堆積された臭気発生物から発生する臭気が大気に漏洩することを防止すると共に、効率よく捕集して脱臭することを目的とする。
【課題を解決するための手段】
【０００６】
本考案の廃棄物処理場の脱臭構造は、臭気発生物を上側から覆うと共に水分を保持する保水部と、前記臭気発生物の内部に埋設される有孔管と、前記有孔管を通して吸引された臭気を脱臭する脱臭部と、を有することを特徴とする。
また、前記臭気発生物は、廃棄物処理場に堆積する堆積廃棄物であり、前記保水部は、高分子ポリマーであって、雨水を保持することを特徴とする。
また、前記保水部の上下に前記保水部を保護する保護部が積層され、前記有孔管は、前記保水部の下側に積層された前記保護部の直下に埋設されることを特徴とする。
【考案の効果】
【０００７】
本考案によれば、臭気発生物を上側から覆うと共に水分を保持する保水部を有することにより、臭気を臭気発生物内に閉じ込めることができ、臭気が大気に漏洩することを防止することができる。また、臭気発生物内に閉じ込められた臭気は、臭気発生物の内部に埋設された有孔管を通して吸引されて脱臭部により脱臭されることから、臭気を効率よく捕集して、脱臭することができる。
【図面の簡単な説明】
【０００８】
【図１】本実施形態に係る脱臭構造の概略を示す断面図である。
【図２】本実施形態に係る脱臭構造の概略を示す平面図である。
【図３】本実施形態に係る保持部および有孔管の構成を示す図である。
【考案を実施するための形態】
【０００９】
以下、本考案に係る実施形態について図面を参照して説明する。
図１は、本実施形態に係る脱臭構造の概略を示す断面図である。図２は、本実施形態に係る脱臭構造の概略を示す平面図である。
【００１０】
（第１の実施形態）
本実施形態の脱臭構造１０は、例えば、山間部などの広大な敷地を利用したり、その一部を凹状に掘削したりすることにより造成される廃棄物処理場１に設置される。廃棄物処理場１の埋立エリア２の底面には遮水シート３が敷設され、埋立エリア２内の堆積廃棄物４から滲出する汚水が地盤に漏洩することを防止している。
【００１１】
本実施形態の脱臭構造１０は、保水部としての保水膜テクスチャ２０と、有孔管３０と、脱臭部としてエアーレーション４０と、を有している。
図３は、本実施形態に係る保水膜テクスチャ２０および有孔管３０の構成を示す図であり、図２のＩ−Ｉ線で切断した断面図である。保水膜テクスチャ２０は、堆積廃棄物４の上側から堆積廃棄物４の全面を覆うように敷設される。保水膜テクスチャ２０は高分子ポリマーなどにより形成され、廃棄物処理場１に降った雨水、すなわち水分を保持することができる。
【００１２】
水分を保持した保水膜テクスチャ２０は、堆積廃棄物４の全面を覆う蓋の機能を担う。すなわち、堆積廃棄物４から発生した硫化水素ガスやその他の腐敗臭などの臭気は、水分を保持した保水膜テクスチャ２０を透過することができないために、保水膜テクスチャ２０内の隙間や堆積廃棄物４内に閉じ込められる。したがって、臭気が大気に漏洩することを防止することができる。
【００１３】
なお、保水膜テクスチャ２０は適度な水分保持能力を有し、所定の保水量を保持するように形成されている。したがって、所定の保水量を超えた雨水は、保水膜テクスチャ２０を透過して、堆積廃棄物４内に浸透する。保水膜テクスチャ２０の水分保持能力は、寡少であっても過度であっても本来の機能を発揮することができない。例えば、寡少な水分保持能力の場合には、臭気が保水膜テクスチャ２０を透過してしまい大気への漏洩を防止することができない。逆に、過度な水分保持能力の場合には、保水膜テクスチャ２０よりも上側が水浸しになり、廃棄物処理場１の機能を発揮することができない。保水膜テクスチャ２０を適度な水分保持能力にするには、保水膜テクスチャ２０の厚みを調整したり、高分子ポリマーの配合量を調整したりすることで実現することができる。本実施形態では、保水膜テクスチャ２０の厚みを１０ｍｍに設定している。
【００１４】
なお、保水膜テクスチャ２０が所定の保水量を超えた雨水を堆積廃棄物４内に浸透させることで、堆積廃棄物４内に浸透した雨水は、堆積廃棄物４の発酵分解作用を促進させることができる。堆積廃棄物４の発酵分解作用を促進させることで、堆積廃棄物４を早期に安定化させることができる。
【００１５】
また、本実施形態では、保水膜テクスチャ２０の上側および下側に保水膜テクスチャ２０を保護する保護部としての土壌２１、２２が積層される。上側の土壌２１は、重機が走行するときに保水膜テクスチャ２０と接しないようにして、保水膜テクスチャ２０の破損を防止する。下側の土壌２２は、堆積廃棄物４が保水膜テクスチャ２０と直接、接しないようにして、保水膜テクスチャ２０の破損を防止する。なお、ここでは、保護部として土壌２１、２２を用いる場合について説明したが、この場合に限られず無機系の廃棄物などであってもよい。
【００１６】
有孔管３０は、堆積廃棄物４の内部であって、保水膜テクスチャ２０の下側、より具体的には土壌２２の下側に埋設される。有孔管３０内は臭気が流れる流路として機能する。図２に示すように、有孔管３０は、埋立エリア２の全面に亘って埋設され、一端（下流側の端部）が、後述する吸引ブロワ４１を介してエアーレーション４０に接続される。
【００１７】
有孔管３０には、長手方向の所定のピッチで有孔管３０の内外を貫通する孔３１が形成される。有孔管３０は孔３１を通して堆積廃棄物４内に閉じ込められた臭気を有孔管３０の内部に導き入れる。本実施形態では、有孔管３０の外径をφ１００ｍｍ、孔３１の孔径をφ７ｍｍ、孔３１のピッチを３３．９ｍｍに設定している。なお、孔３１は、有孔管３０の長手方向に沿って一列、形成する場合に限られず、複数列を形成してもよい。
【００１８】
なお、本実施形態の有孔管３０は、土壌２２の直下に埋設されている。土壌２２の直下は、保水膜テクスチャ２０によって閉じ込められた臭気が多く充満しているために、有孔管３０内に効率よく臭気を捕集することができる。
【００１９】
エアーレーション４０は、埋立エリア２に近接した位置に配置され、吸引ブロワ４１を介して有孔管３０に接続されている。エアーレーション４０は、吸引ブロワ４１によって有孔管３０から吸引された臭気を脱臭して、大気に放出する。
【００２０】
次に、上述したように構成される脱臭構造１０によって臭気が脱臭されるまでの流れについて説明する。廃棄物処理場１に降った雨水は、土壌２１を通過して保水膜テクスチャ２０に浸透する。保水膜テクスチャ２０は、雨水を臭気が透過しない所定の保水量まで保持する。したがって、堆積廃棄物４から発生した硫化水素ガスやその他の腐敗臭などの臭気は、保水膜テクスチャ２０を透過して大気に漏洩することなく、保水膜テクスチャ２０内の隙間や堆積廃棄物４内に閉じ込められる。
【００２１】
次に、エアーレーション４０および吸引ブロワ４１を駆動させる。吸引ブロワ４１を駆動させることで有孔管３０の内部が負圧になるために、有孔管３０では堆積廃棄物４内に閉じ込められた臭気を有孔管３０の周囲から順に孔３１を通して捕集する。このとき、有孔管３０は臭気が多く充満している位置、すなわち土壌２２の直下に埋設されていることから効率よく臭気を捕集することができる。有孔管３０により捕集された臭気は、吸引ブロワ４１に吸引されることでエアーレーション４０に送出される。エアーレーション４０に送出された臭気は、脱臭された後に大気に放出される。
【００２２】
このようにして本実施形態の脱臭構造１０によれば、水分を保持する保水膜テクスチャ２０により堆積廃棄物４を上側から覆うことから臭気を堆積廃棄物４内に閉じ込めることができ、臭気が大気に漏洩することを防止することができる。また、本実施形態では、雨水を利用するために屋根を設置する必要がないことから廃棄物処理場１での設備コストを削減することができる。
【００２３】
なお、上述した実施形態の脱臭構造１０では堆積廃棄物４から発生した硫化水素やその他の腐敗臭などの臭気を捕集する場合について説明したが、臭気に加えて堆積廃棄物４から発生するメタンガス類を捕集することもできる。有孔管３０により捕集されたメタンガス類は、吸引ブロワ４１に吸引され、図示しない分解装置に送出される。分解装置では、メタンガス類を無害なものとして大気に放出する。
【００２４】
また、上述した実施形態では、脱臭構造１０を廃棄物処理場１で用いる場合について説明したが、廃棄物を発酵させる発酵槽で用いてもよい。すなわち、発酵槽内に堆積された廃棄物を上述した保水膜テクスチャ２０で上側から覆うことで、発酵により発生する臭気を発酵槽内に閉じ込めることができる。このように廃棄物の発酵に用いることで、発酵促進に寄与する温度管理と水分調整および臭気の分散防止に大きく寄与することができる。
【００２５】
（第２の実施形態）
第１の実施形態の脱臭構造１０は廃棄物処理場１で用いられ、臭気発生物を堆積廃棄物４とする場合について説明した。本実施形態では、脱臭構造１０を食品の発酵に用いる場合について説明する。
この場合、発酵室内（あるいは発酵槽）に堆積された食品を上述した保水膜テクスチャ２０で上側から覆うことで、発酵により発生する臭気を発酵室内に閉じ込めることができる。更に、保水膜テクスチャ２０を用いることで、発酵に必要な水分および温度の調整を容易に行うことができる。また、多種の雑菌から食品を保護することができる。
【００２６】
以上、本考案を種々の実施形態と共に説明したが、本考案はこれらの実施形態にのみ限定されるものではなく、本考案の範囲内で変更などが可能であり、上述した実施形態を適時組み合わせてもよい。
例えば、上述した実施形態の保水膜テクスチャ２０は堆積廃棄物４の全面を単一で覆う大きさである必要はなく、複数の保水膜テクスチャ２０を並べて敷設することで堆積廃棄物４の全面を覆ってもよい。
また、保水膜テクスチャ２０は一層から構成される場合に限られず、多層から構成されていてもよい。多層で構成する場合には、例えば層ごとに高分子ポリマーの配合量を変更することができる。例えば、上側の一層目を保水に適した層にし、二層目を臭気の捕集に適した層で構成してもよい。
【符号の説明】
【００２７】
１：廃棄物処理場  ２：埋立エリア  ３：遮水シート  １０：脱臭構造  ２０：保水膜テクスチャ（保水部）２１、２２：土壌（保護部）  ３０：有孔管  ３１：孔  ４０：エアーレーション（脱臭部）  ４１：吸引ブロワ
【図１】
0003189609.tif 000003
【図２】
0003189609.tif 000004
【図３】
0003189609.tif 000005